(57)【要約】【課題】  商用電源などの電気を使用せずに、水道水などの加圧液体により作動し、安全かつ汎用性の高い加圧液体駆動式ポンプを提供する。【解決手段】  加圧液体駆動式ポンプ１に、水道の蛇口に接続された導入路２上に備えられた加圧液体供給手段３と、その下流側に備えられ加圧液体供給手段３から供給される水道水により駆動される駆動ピストン４と、駆動ピストン４から延びだしたピストンロッド５により連結された作動ピストン６を有するピストン式ポンプ７と、駆動ピストン４の下流側に配置され駆動ピストン４に供給された水道水を用いて加圧液体供給手段３の作動を制御する制御手段８とを備える。【選択図】        図１
2005133627.tif 000002
【特許請求の範囲】
【請求項１】
加圧液体の流通する流路に接続される導入路上に備えられた加圧液体供給手段と、
該加圧液体供給手段から供給される加圧液体により駆動される駆動ピストンと、
該駆動ピストンの駆動により作動するピストン式ポンプと、
前記駆動ピストンに供給された液体を用いて前記加圧液体供給手段の作動を制御する制御手段とを備えることを特徴とする加圧液体駆動式ポンプ。
【請求項２】
前記加圧液体供給手段は、開閉弁または切替弁からなることを特徴とする請求項１に記載の加圧液体駆動式ポンプ。
【請求項３】
前記制御手段は、
前記駆動ピストンに供給された液体を貯留する貯留槽と、
該貯留槽を回動可能に支持する回動軸と、
該回動軸の回動運動を直線運動に変換する運動変換手段と、
該運動変換手段により変換された直線運動を伝達して前記加圧液体供給手段を作動させる作動伝達手段とを備えることを特徴とする請求項１または請求項２に記載の加圧液体駆動式ポンプ。
【請求項４】
前記駆動ピストンに加圧液体が供給されていない時に、該駆動ピストンを供給される加圧液体の上流側に移動させる付勢手段をさらに備えることを特徴とする請求項１から請求項３までの何れか一つに記載の加圧液体駆動式ポンプ。
【発明の詳細な説明】
【技術分野】
【０００１】
本発明は、ポンプに関するものであり、特に、加圧された液体を用いて駆動される加圧液体駆動式ポンプに関するものである。
【背景技術】
【０００２】
従来より、風呂の残り湯やタンクなどに貯留した雨水を汲み上げるポンプとして、電気で駆動する電動ポンプが知られている。この電動ポンプとしては、電動のモータにより羽根車などを回転運動させることで作動する回転ポンプや、モータの回転をクランクなどを用いてピストンを往復運動させることで作動するピストン式ポンプなどがある。
【０００３】
上記の技術は、当業者においては当然のごとく知られているものであり、本願出願人は、本願出願時において、上記の技術が記載されている文献を特に知見していない。
【発明の開示】
【発明が解決しようとする課題】
【０００４】
しかしながら、ポンプの駆動源として電気を用いた場合、電気配線などの防水対策が不充分であると漏電する恐れがあり安全性に問題があった。また、防水対策を充分に行うことで、ポンプが高価なものとなっていた。さらに、電気が供給されていない場所や、電線などが通っていても電線から電気を取り出す手段（例えばコンセントなど）が設置されていない場所ではポンプを使用することができなかった。そこで、電池などを駆動源とすることも考えられるが、電池を用意したり交換したりしなければならず手間の係るものとなっていた。
【０００５】
ところで、ポンプの駆動源としては、電気の他に、圧力空気や圧力蒸気などを用いることも考えられるが、これら圧力空気や圧力蒸気などは、電気のように一般にはインフラ整備されておらず、圧力空気や圧力蒸気などを発生させるための設備が必要となり、却ってコストのかかるものとなる上、一般家庭でこれらの駆動源を用いたポンプを使用するには不向きである。
【０００６】
また、電気と共にインフラ整備の発達している水道の水圧をポンプの駆動源とすることが考えられる。この水道の場合、一般家庭や工場などの他に、公園など至る所に水道の蛇口が設けられており、電気（商用電源）に比べて使用範囲が広く、また、漏電の危険もないのでポンプの駆動源としては理想的である。しかしながら、水道の水圧や加圧された液体を動力源としたポンプは、未だ開発されていないのが実情であった。
【０００７】
そこで、本発明は上記の実状に鑑み、商用電源などの電気を使用せずに、水道水などの加圧液体により作動し、安全かつ汎用性の高い加圧液体駆動式ポンプを提供するものである。
【課題を解決するための手段】
【０００８】
上記の課題を解決するために、本発明に係る加圧液体駆動式ポンプは、「加圧液体の流通する流路に接続される導入路上に備えられた加圧液体供給手段と、該加圧液体供給手段から供給される加圧液体により駆動される駆動ピストンと、該駆動ピストンの駆動により作動するピストン式ポンプと、前記駆動ピストンに供給された液体を用いて前記加圧液体供給手段の作動を制御する制御手段とを備える」構成とするものである。
【０００９】
ここで、「加圧液体」としては、社会インフラ、工場内或いは施設内インフラにおいて、整備された加圧液体を用いることができ、特に限定するものではないが、上水道、中水道、下水道などを例示することができる。また、「加圧液体供給手段」としては、開閉弁、切替弁などを例示することができる。さらに、「ピストン式ポンプ」としては、ピストンにより隔てられた作用室の一方でのみ吸込み吐出しを行うものや、両方の作用室で吸込み吐出しを行うものなどを例示することができる。
【００１０】
ところで、駆動ピストンに加圧液体を供給する加圧液体供給手段の制御を、駆動ピストン或いはピストン式ポンプのピストンの動きにより制御することが考えられるが、本願発明者が鋭意研究したところ、これらピストンの動きにより加圧液体供給手段を制御すると、ピストンの動き（ストローク）が徐々に小さくなり、最終的にポンプが停止してしまうことを知見した。これは、駆動ピストンが上死点あるいは下死点に達するタイミングと、加圧液体供給手段により駆動ピストンに加圧液体を供給するタイミングとにずれがあり、駆動ピストンが上死点あるいは下死点に達する前に加圧液体が供給されてしまい、これにより、やがてポンプが停止してしまうからである。
【００１１】
本発明によると、加圧液体によりピストン式ポンプを作動させることができるので、電気を用いておらず漏電の危険性がなく安全に使用することができる。また、加圧液体として水道を用いた場合、水道はほとんどの場所で整備されており、一般家庭や工場、公園などに設置された蛇口に導入路を接続するだけでどこでも使用することができる。そこで、本発明の加圧液体駆動式ポンプを例えば、一般家庭においては、浴槽の残り湯を屋外のタンクに貯水したり、浴槽または屋外のタンクの水を、洗濯、洗車、或いは、庭などへの散水、などをするために使用することもでき、また、家庭外においては、公園などの噴水、池や川などの循環用のポンプとして使用することもできる。
【００１２】
また、駆動ピストンに供給された液体を用いて加圧液体供給手段を制御するようにしているので、駆動ピストンの動きとは無関係に加圧液体の供給を制御することができ、ピストン式ポンプを継続的に作動させることができる。また、加圧液体の流量や圧力の変化にも対応することができる。
【００１３】
本発明に係る加圧液体駆動式ポンプは、「前記加圧液体供給手段は、開閉弁または切替弁からなる」構成とすることもできる。ここで「開閉弁」や「切替弁」としては、具体的な構成を何ら限定するものではないが、仕切弁、玉形弁、バタフライ弁、ダイヤフラム弁、スプール弁などを例示することができ、パイロット弁を備えたものでも良い。
【００１４】
本発明によると、加圧液体供給手段を開閉弁や切替弁で構成しているので、簡単な構成とすることができる。また、既存の開閉弁や切替弁を用いることもできるので、コストを抑えることができる。なお、開閉弁や切替弁を複数用いても良く、また、それらを組み合わせて加圧液体供給手段を構成しても良い。さらに、開閉弁や切替弁をその開閉動作の際にゆっくり動作するものを用いることで、急激な弁の開閉により発生するウォーターハンマー現象を防止することができる。
【００１５】
本発明に係る加圧液体駆動式ポンプは、「前記制御手段は、前記駆動ピストンに供給された液体を貯留する貯留槽と、該貯留槽を回動可能に支持する回動軸と、該回動軸の回動運動を直線運動に変換する運動変換手段と、該運動変換手段により変換された直線運動を伝達して前記加圧液体供給手段を作動させる作動伝達手段とを備える」構成とすることもできる。ここで「運動変換手段」としては、具体的な構成を何ら限定するものではないが、クランク、カム、ラックとピニオンギヤ、などを用いたもので構成することができる。
【００１６】
本発明によると、駆動ピストンに供給された液体を貯留槽にて貯留し、所定量貯留されると、回動軸により回動支持された貯留槽が回動し、その回動運動が運動変換手段により直線運動に変換され、作動伝達手段を介して加圧液体供給手段をオン或いはオフ、或いは切り替え作動させ、駆動ピストンに加圧液体を供給したり、供給を停止したりすることができる。また、貯留槽が回動することで、貯留された液体が放出され貯留槽が空の状態となり、貯留槽に再び液体を貯留することができるようになる。そして、この動作を繰り返すことで、駆動ピストンに供給された液体により加圧液体供給手段の作動を制御することができる。なお、貯留槽の大きさなどを調整することで、加圧液体供給手段を作動させるタイミングを調整することができる。また、貯留槽を複数備えるようにしても良い。
【００１７】
本発明に係る加圧液体駆動式ポンプは、「前記駆動ピストンに加圧液体が供給されていない時に、該駆動ピストンを供給される加圧液体の上流側に移動させる付勢手段をさらに備える」構成とすることもできる。ここで「付勢手段」としては、バネ、ゴムなどの弾性体を例示することができ、これらを組み合わせたものを用いても良い。
【００１８】
本発明によると、付勢手段により駆動ピストンを初期の位置に戻すことができるので、加圧液体の供給、非供給により駆動ピストンを往復運動させることができる。
【発明の効果】
【００１９】
上記のように本発明によると、商用電源などの電気を使用せずに、水道水などの加圧液体により作動し、安全かつ汎用性の高い加圧液体駆動式ポンプを提供することができる。
【発明を実施するための最良の形態】
【００２０】
以下、本発明を実施するための最良の形態について図１から図４を基に詳細に説明する。図１は、本発明の加圧液体駆動式ポンプの概略構成を示すと共に、その動作を示す説明図である。図２は、加圧液体駆動式ポンプにおける制御手段の動作を示す説明図である。図３は、加圧液体駆動式ポンプにおける駆動ピストンの構成を拡大して示す拡大図である。図４は、本発明の加圧液体駆動式ポンプと共に用いるのに好適な貯水タンクを示す概略構成図である。
【００２１】
本実施の形態の加圧液体駆動式ポンプ１は、加圧液体として所定の圧力で供給される水道水を用いており、図示しない水道の蛇口に接続された導入路２上に備えられた加圧液体供給手段３と、その下流側に備えられ加圧液体供給手段３から供給される水道水により駆動される駆動ピストン４と、駆動ピストン４から延びだしたピストンロッド５により連結された作動ピストン６を有するピストン式ポンプ７と、駆動ピストン４の下流側に配置され駆動ピストン４に供給された水道水を用いて加圧液体供給手段３の作動を制御する制御手段８とが備えられている。
【００２２】
図１に示すように、導入路２は、二手に分岐され、夫々の導入路２上には、加圧液体供給手段３としての開閉弁３Ａ，３Ｂが夫々設けられている。これら開閉弁３Ａ，３Ｂは、トイレの洗浄水タンクなどに使用されているボールタップに使用されている開閉弁を用いている。この開閉弁３Ａ，３Ｂには、棒状のロッド９の一端が回転自在に軸支されており、このロッド９に開閉弁３Ａ，３Ｂの弁体１０の一端が当接しており、ロッド９を所定角度回転させることで、弁体１０が動き、開閉弁３Ａ，３Ｂ内の流路を開閉することができる。
【００２３】
駆動ピストン４は、図３に拡大して示すように、シリンダとしての管体１１内を摺動可能に収容されると共に、駆動ピストン４の外径ｄ１は、管体１１の内径ｄ２よりも小径とされており、駆動ピストン４の外面と管体１１の内面との間には所定の隙間が形成されている。なお、本例では、駆動ピストン４の外径ｄ１が１５ｍｍ、管体１１の内径ｄ２が１６ｍｍとされている。また、この駆動ピストン４には、ピストンロッド５の一端が固定されており、ピストンロッド５の他端は、ピストン式ポンプ７の作動ピストン６に固定されている。なお、作動ピストン６の外径は６０ｍｍとされていると共に、ストロークは１５０〜２５０ｍｍとされている。
【００２４】
図１に示すように、ピストン式ポンプ７を挟んで開閉弁３Ａと開閉弁３Ｂとが略対称位置に配置されており、それら開閉弁３Ａ，３Ｂに続く駆動ピストン４も夫々略対称に配置されていると共に、駆動ピストン４とピストン式ポンプ７の作動ピストン６とが略同軸状になるように配置されている。なお便宜上、開閉弁３Ａ側の駆動ピストン４を符号４Ａとすると共に、開閉弁３Ｂ側の駆動ピストン４を符号４Ｂとする。そして、駆動ピストン４Ａ，４Ｂおよび作動ピストン６がピストンロッド５により連結されている。
【００２５】
このピストン式ポンプ７は、その内側に作動ピストン６が摺動するシリンダ１２を備えており、シリンダ１２は、作動ピストン６により２つの作用室３５Ａ，３５Ｂに分けられている。そして、夫々の作用室３５Ａ，３５Ｂには、吸込通路１３と吐出通路１４とが夫々連通されており、吸込通路１３には、作用室３５Ａ，３５Ｂからの流入を阻止する逆止弁１５が、吐出通路１４には、作用室３５Ａ，３５Ｂへの流入を阻止する逆止弁１６が設けられている。なお、管体１１の内径は１３〜１６ｍｍ、ピストン式ポンプ７のシリンダ１２の内径は６０〜７０ｍｍとするのが望ましい。
【００２６】
吸込通路１３は、ピストン式ポンプ７と連通する側と反対側が、ホースなどを介して例えば、浴槽１７内の残り湯１８内に連通している。また、吐出通路１４は、ピストン式ポンプ７と連通する側と反対側が、例えば、後述する貯水タンクに連通させられており、ピストン式ポンプ７の作動ピストン６を駆動することで、例えば、吸込通路１３に連通した浴槽１７の残り湯１８が吸い込まれ、吐出通路１４を介して貯水タンクなどに吐出されるようになっている。
【００２７】
駆動ピストン４を収容している管体１１の下流側（駆動ピストン４を挟んで加圧液体供給手段３とは反対側）には、制御手段８へと連通する導通路１９が接続されており、駆動ピストン４の外面と管体１１の内面との隙間を通った水道水が導通路１９を介して制御手段８に導かれるようになっている。
【００２８】
制御手段８は、導通路１９から導かれた水道水を貯留する貯留槽２０と、貯留槽２０を回動可能に支持する回動軸２１と、回動軸２１の回動運動を直線運動に変換する運動変換手段２２と、運動変換手段２２により変換された直線運動を伝達して加圧液体供給手段３を作動させる作動伝達手段２３とを備えている。
【００２９】
制御手段８の貯留槽２０は、図２（Ａ）に示すように、導水路１９からの水道水を貯留可能な状態では、上方が開口した形態とされており、導水路１９の開口部２４から吐出される水道水が開口を介して貯留槽２０に貯留されるようになっている。この貯留槽２０は、回動軸２１を有した回転体２５に備えられていると共に、回動軸２１に対して偏芯した位置に備えられている。この回転体２５には、図示しない重りが取り付けられており、貯留槽２０が空の状態では、図２（Ａ）の如く貯留槽２０の開口が上方を向く位置に静止するようになっている。そして、貯留槽２０に所定量の水道水が貯留されると、その重さで回動し図２（Ｂ）の状態となり、貯留槽２０内の水道水が排出されるようになっている。
【００３０】
回動軸２１には、回動軸２１と共に回動するシャフト２６の一端が固定されると共に、シャフト２６は、回動軸２１に対して軸直角方向外側に延びだしており、その他端が図中上下方向に延びる伝達棒２７に連結されている。これにより、回動軸２１が回動すると伝達棒２７が上下方向に往復する直線運動する。本例では、シャフト２６および伝達棒２７により本発明の運動変換手段２２が構成されている。
【００３１】
伝達棒２７は、図１に示すように、その上端および下端に、夫々開閉弁３Ａおよび開閉弁３Ｂから延びだしたロッド９の他端が連結されている。これにより、回動軸２１の回動により上下方向に伝達棒２７が直線運動をすると、ロッド９を介して開閉弁３Ａ，３Ｂが開閉するようになっている。本例では、ロッド９および伝達棒２７により作動伝達手段２３が構成されている。
【００３２】
なお、図１中符号２８は、貯留槽２０から排出された水道水を受ける受皿であり、受皿２８に受けられた水は、排水路２９を介して加圧液体駆動式ポンプ１の外部に排出される。本例では、受皿２８に受けられた水は、排水路２９を介して浴槽１７に排出される。
【００３３】
ところで、図４に示すように、吐出通路１４は、屋外に設置された貯水タンク３０へと導かれており、加圧液体駆動式ポンプ１で汲み上げられた水は、貯水タンク３０に貯水されるようになっている。この貯水タンク３０は、円筒状の細長いパイプ３１を縦にして、横に並べたもので、パイプ３１の下面は水密に閉鎖されていると共に、パイプ３１の下端部側面において夫々のパイプ３１が連通管３２により連通されている。
【００３４】
また、貯水タンク３０のパイプ３１の下端部側面には、バルブ３３を備えた取出管３４が取り付けられており、バルブ３３を開くことで、貯水タンク３０に貯水された水を外部に取り出して使用することができるようになっている。この貯水タンク３０は、外径が約１５０ｍｍの例えば、塩ビパイプを用いており、その高さを高くすることで、貯水量を増やすことができると共に、横幅を小さくすることができるので、狭いところでも設置することができる上、設置面積も少なくてすみ、建物の軒下などに設置するのに好適である。なお、この貯水タンク３０は、雨水のタンクとしても使用しても良い。
【００３５】
次に、本実施の形態の加圧液体駆動式ポンプ１の動作について説明する。まず、加圧液体駆動式ポンプ１から延出している導水路２を水道の蛇口などに接続する。また、吐出通路１４を貯水タンク３０と接続する。一方、吸込通路１３と排水路２９は、加圧液体駆動式ポンプ１で汲み上げたい水と連通させる。ここでは、浴槽１７で説明し、吸込通路１３の先端が浴槽１７の底近辺に位置するようにする。
【００３６】
続いて、水道の蛇口を操作して、導水路２に加圧された水道水を供給する。図（Ａ）の状態では、開閉弁３Ａが開状態であり、開閉弁３Ｂが閉状態であるので、導水路２に供給された水道水は、開閉弁３Ａを通って、駆動ピストン４Ａに供給される。すると、駆動ピストン４Ａは、水道水の水圧により図中下方向に押される。一方、ピストンロッド５を介して連結されたピストン式ポンプ７の作動ピストン６と駆動ピストン４Ｂも下方に押される。このとき、駆動ピストン４Ｂは、管体１１の内面と隙間が形成されているので、駆動ピストン４Ｂと開閉弁３Ｂとの間に水道水が満たされていても、その隙間から下流側に排出することができるので、駆動ピストン４Ｂは大きな抵抗が懸ることはない。そのため、駆動ピストン４Ａに水道水圧が作用すると、駆動ピストン４Ａ，４Ｂおよび作動ピストン６は、下方へ移動する。
【００３７】
作動ピストン６が下方へ移動するのに伴って、作用室３５Ａの容積が大きくなると共に、作用室３５Ｂの容積は小さくなる。そのため、作用室３５Ａ内の圧力が下がり、作用室３５Ａに接続された吸込通路１３の逆止弁１５が開くと共に、吐出通路１４の逆止弁１６は閉じ、吸込通路１３を介して浴槽１７の残り湯１８が作用室３５Ａ内に吸い込まれる。
【００３８】
一方、作用室３５Ｂ内では、その容積が減少するので圧力が上がり、作用室３５Ｂに接続された吸込通路１３の逆止弁は閉じると共に、吐出通路１４の逆止弁１６は開き、作用室３５Ｂ内の水或いは空気が吐出通路１４を介して貯水タンク３０へと導かれる。
【００３９】
ところで、駆動ピストン４Ａにおいても、管体１１の内面との間に隙間があるので、開閉弁３Ａを介して供給される水道水は、駆動ピストン４Ａを押圧しつつ、その隙間から下流側に流出している。そして、隙間から流出した水道水は、導通路１９を介して制御手段８の貯留槽２０へと送られ、貯留槽２０に貯留される。
【００４０】
この貯留槽２０は、駆動ピストン４Ａが管体１１の下端部に達する頃に、所定量となるように容積が設定されており、貯留槽２０に貯留された水道水が所定量となると、貯留槽２０を備えた回転体２５が、およそ９０゜回動する。すると、回転体２５と共に回動する回動軸２１に固定されたシャフト２６も回動し、シャフト２６の回動により伝達棒２７が下向きに移動する。そして、伝達棒２７の下向きへの移動により、その両端に接続されたロッド９，９を介して、開閉弁３Ａは閉じる方向に、開閉弁３Ｂは開く方向に、夫々作動させられる（図１（Ｂ）参照）。
【００４１】
そして、開閉弁３Ａが閉じられることで、駆動ピストン４Ａへの水道水の供給が停止し、駆動ピストン４Ａの下方への移動が停止すると共に、開閉弁３Ｂが開き、駆動ピストン４Ｂに水道水が供給され、その水道水圧により駆動ピストン４Ｂが上向に押され、駆動ピストン４Ｂ、４Ａおよび作動ピストン６が上向に移動を開始する。これにより、今度は、ピストン式ポンプ７の作用室３５Ａ内の水が吐出通路１４へと吐出されると共に、浴槽１７の水（残り湯１８）が吸込通路１３を介して作用室３５Ｂに吸い込まれる。
【００４２】
一方、制御手段８では、貯水槽２０内の水が回転体２５の回動により外部に排出されるが、一瞬で排出される訳ではないので、回転体２５は、しばらく図１（Ｂ）の状態で保持される。また、本例では、同図（Ｂ）の状態で、駆動ピストン４Ｂと管体１１の内面との隙間を通って排出される水だけでなく、駆動ピストン４Ａと管体１１の内面との隙間を通って排出される水も合わせて、導通路１９を介してその開口部２４から回転体２５へと吐出されるので、それら導通路１９からの水が貯留槽２０の側面に当接し、それが抵抗となってさらに、回転体２５が同図（Ａ）の元の状態に戻るタイミングを遅らせている。
【００４３】
なお、回転体２５が図１（Ａ）の状態から同図（Ｂ）の状態へ、または、その逆の動作をする際に、回動体２５が徐々に回動するのではなく、同図（Ａ）または（Ｂ）の状態を所定時間維持するような動作が望ましく、図示は省略するが、作動伝達手段２３にバネやゴムなどの弾性体の弾性力を作用させるようにしても良いし、また、弾性体などを用いてピストンロッド５と作動伝達手段２３とを連結して、作動伝達手段２３の作動を補助するようにしても良い。
【００４４】
そして、回転体２５が元の状態に戻る間に、開閉弁３Ｂを介して供給される水道水圧によって駆動ピストン４Ｂは、さらに上昇し、駆動ピストン４Ｂが同図（Ａ）の状態になる頃に回転体２５が元の状態に復帰し、回動軸２１の回動に伴って伝達棒２７が上向に移動して、開閉弁３Ｂが閉じられると共に、開閉弁３Ａが開き、再び駆動ピストン４Ａに水道水が供給されて、上記の動作を繰り返し、ピストン式ポンプ７から略連続的に水（残り湯１８）が吐出される。
【００４５】
最後に、加圧液体駆動式ポンプ１を停止させたい時は、導入路２が接続された水道の蛇口を操作して、水道水の供給を停止することで、加圧液体駆動式ポンプ１を停止させることができる。
【００４６】
このように本実施の形態によると、水道水によりピストン式ポンプ７を作動させることができるので、電気を用いておらず漏電の危険性がなく安全に使用することができる。また、水道はほとんどの場所で整備されており、一般家庭や工場、公園などに設置された蛇口に導入路２を接続するだけでどこでも使用することができる。そこで、本例の加圧液体駆動式ポンプ１を例えば、一般家庭においては、浴槽１７の残り湯１８を屋外の貯水タンク３０に貯水したりして、その水を、洗濯、洗車、或いは、庭などへの散水、などをするために使用することもでき、また、家庭外においては、公園などの噴水、池や川などの循環用のポンプとして使用することもできる。
【００４７】
また、駆動ピストン４に供給された水道水を用いて加圧液体供給手段３を制御するようにしているので、駆動ピストン４の動きとは無関係に水道水の供給を制御することができ、ピストン式ポンプ１を継続的に作動させることができる。また、水道水の流量や圧力の変化にも対応することができる。
【００４８】
さらに、加圧液体供給手段３を開閉弁３Ａ，３Ｂで構成しているので、簡単な構成とすることができる。また、既存の開閉弁を用いることもできるので、コストを抑えることができる。
【００４９】
以上、本発明を実施するための最良の実施の形態を挙げて説明したが、本発明はこの実施の形態に限定されるものではなく、以下に示すように、本発明の要旨を逸脱しない範囲において、種々の改良及び設計の変更が可能である。
【００５０】
すなわち、本実施の形態では、加圧液体供給手段３として、開閉弁３Ａ，３Ｂを用いており、また、駆動ピストン４Ａ，４Ｂをピストン式ポンプ７を挟んで対称に配置したものを示したが、これに限定するものではなく、例えば、図５に示すような形態とすることもできる。なお、図１の実施の形態と同一の構成については同一の符号が付してある。図５の実施の形態は、加圧液体供給手段３として導入路２の流路を切替えることのできる切替弁３６を用いている。この切替弁３６は、弁体を回転させることで流路を切替えることができるものである。
【００５１】
また、駆動ピストン４Ａ，４Ｂを所定間隔隔ててピストンロッド５で連結すると共に、一方の駆動ピストン４（本例では駆動ピストン４Ｂ）とピトン式ポンプ７の作動ピストン６とをピストンロッド５で連結し、さらに、駆動ピストン４Ａ，４Ｂ間の所定位置において管体１１に導通路１９を接続したものである。
【００５２】
この実施の形態によると、加圧液体供給手段３として切替弁３６を用いているので、一つの弁で構成することができ、構成を簡略化することができると共に、コストを抑制することができる。また、駆動ピストン４Ａ，４Ｂを一箇所にまとめているので、加圧液体駆動式ポンプをコンパクトにすることができる。
【００５３】
また、本実施の形態では、制御手段８の貯留槽２０から排出された水道水を排水路２９を介して浴槽１７に導くものを示したが、これに限定するものではなく、例えば、排水路１９を逆止弁などを介して吐出通路１４に接続しても良いし、排水路１９を例えば、洗濯機などに接続し、洗濯機に水を溜めながら浴槽１７の水を抜くようにしても良い。これにより、水道水とその水圧をより有効に使用することができる。
【００５４】
さらに、本実施の形態では、ピストン式ポンプ７を往復運動させるのに２つの駆動ピストン４Ａ，４Ｂを用いたものを示したが、これに限定するものではなく、例えば、図６に示すように、一つの駆動ピストン４で駆動するようにしても良い。図６の実施の形態は、図示するように駆動ピストン４を一つとし、管体１１にステー３７を固定すると共に、ピストンロッド５にステー３８を固定し、両ステー３７，３８間にバネ又はゴムからなる付勢手段３９を取り付けたもので、駆動ピストン４に加圧液体が供給されている時は、その圧力により付勢手段３９の付勢力に抗して作動ピストン６が押し下げられ、加圧液体が供給されていない時は、付勢手段３９により元の位置に復帰するようになっている。この実施の形態によっても、上記の例と同様の作用効果を奏することができる。
【００５５】
また、本実施の形態では、駆動ピストン４やピストン式ポンプ７を上下方向に配置したものを示したが、これらの配置に限定するものではなく、例えば、横方向に配置するようにしてもよく、加圧液体駆動式ポンプの使用形態に応じてそれらの配置を適宜設定することができ、小型化することで容易に持ち運び可能とすることもできる。
【００５６】
また、本実施の形態では、駆動ピストン４の外面と管体１１の内面との間に隙間を設けて駆動ピストン４の上流側の液体を下流側に逃がすものを示したが、これに限定するものではなく、駆動ピストンに小孔を設けて、その小孔を介して液体を逃がすものや、別途バルブを設けて、そのバルブを開閉することで、液体を逃がすようなものでも良い。
【００５７】
また、本実施の形態では、加圧液体駆動式ポンプ１により汲み出した水を貯水タンク３０に貯水するものを示したが、これに限定するものではなく、例えば、加圧液体駆動式ポンプから汲み出された水を直接、洗濯機の洗濯槽や、トイレのタンク、庭の散水や車の洗車などに使用することもできる。また、加圧液体駆動式ポンプを貯水タンク３０に貯水された水を汲み出すものに使用することもできる。
【００５８】
さらに、本実施の形態では、制御手段８として、回転体２５の回動により作動伝達手段２３を介して加圧液体供給手段３の作動を制御するものを示したが、これに限定するものではなく、例えば、駆動ピストンに供給されたまたは供給される加圧液体により水車などを駆動して発電し、その発電された電気を用いて加圧液体供給手段を電気的に制御するようにしても良い。なお、発電された電気を一端蓄電池に貯えて使用しても良い。
【図面の簡単な説明】
【００５９】
【図１】本発明の加圧液体駆動式ポンプの概略構成を示すと共に、その動作を示す説明図である。
【図２】加圧液体駆動式ポンプにおける制御手段の動作を示す説明図である。
【図３】加圧液体駆動式ポンプにおける駆動ピストンの構成を拡大して示す拡大図である。
【図４】本発明の加圧液体駆動式ポンプと共に用いるのに好適な貯水タンクを示す概略構成図である。
【図５】加圧液体供給手段および駆動ピストンの他の形態を示す概略構成図である。
【図６】加圧液体駆動式ポンプに付勢手段を用いた例を示す概略構成図である。
【符号の説明】
【００６０】
１    加圧液体駆動式ポンプ
２    導入路
３    加圧液体供給手段
３Ａ，３Ｂ  開閉弁
４    駆動ピストン
７    ピストン式ポンプ
８    制御手段
２０  貯留槽
２１  回動軸
２２  運動変換手段
２３  作動伝達手段
３６  切替弁
３９  付勢手段
【図１】
2005133627.tif 000003
【図２】
2005133627.tif 000004
【図３】
2005133627.tif 000005
【図４】
2005133627.tif 000006
【図５】
2005133627.tif 000007
【図６】
2005133627.tif 000008